(57)【要約】【課題】撮像タイミングがばらつくことを防止することができる撮像装置および撮像方法を提供すること。【解決手段】所定の間隔ＤＳで穴ＨＬの内周面ＨＬ３を１周する領域が印付与領域ＭＡとされ、当該印付与領域ＭＡに設けられた所定の印ＭＫを撮像する撮像装置ＥＡにおいて、所定の撮像領域ＰＡを撮像する撮像手段５０と、対象とするものを映し出す鏡面反射手段６０とを有し、鏡面反射手段６０は、印付与領域ＭＡにおける撮像手段５０の死角領域ＢＡを撮像領域ＰＡ内に映し出す凹型鏡面６１Ａを備えている。【選択図】図１
2020102019.tif 000002
【特許請求の範囲】
【請求項１】
所定の間隔で穴の内周面を１周する領域が印付与領域とされ、当該印付与領域に設けられた所定の印を撮像する撮像装置において、
所定の撮像領域を撮像する撮像手段と、
対象とするものを映し出す鏡面反射手段とを有し、
前記鏡面反射手段は、前記印付与領域における前記撮像手段の死角領域を前記撮像領域内に映し出す凹型鏡面を備えていることを特徴とする撮像装置。
【請求項２】
前記鏡面反射手段は、前記撮像領域内に映し出す前記撮像手段の死角領域の位置を変更可能な変位手段を備えていることを特徴とする請求項１に記載の撮像装置。
【請求項３】
前記鏡面反射手段は、凹型鏡面の曲率を変更する曲率変更手段を備えていることを特徴とする請求項１または請求項２に記載の撮像装置。
【請求項４】
所定の間隔で穴の内周面を１周する領域が印付与領域とされ、当該印付与領域に設けられた所定の印を撮像する撮像方法において、
所定の撮像領域を撮像手段で撮像する撮像工程と、
対象とするものを映し出す鏡面反射工程とを実施し、
前記鏡面反射工程では、前記印付与領域における前記撮像手段の死角領域を凹型鏡面で前記撮像領域内に映し出すことを特徴とする撮像方法。
【発明の詳細な説明】
【技術分野】
【０００１】
本発明は、撮像装置および撮像方法に関する。
【背景技術】
【０００２】
従来、穴の内周面に設けられた所定の印を撮像する撮像装置が知られている（例えば、特許文献１参照）。
【先行技術文献】
【特許文献】
【０００３】
【特許文献１】再公表ＷＯ２００４／０１４７３３号公報
【発明の概要】
【発明が解決しようとする課題】
【０００４】
しかしながら、特許文献１に記載されたような従来の縦ピロー型製袋包装機３００に採用されている撮像装置は、バーコードリーダ３０２ｄ（撮像手段）が紙管１０１の穴（穴）の内周面を走査し、当該内周面に設けられたラベル１１０ｄのバーコード（印）を撮像する構成であるため、撮像手段の死角に印が位置していた場合、撮像手段と穴とを相対回転させる動作が必要となり、当該撮像装置の撮像タイミングにばらつきが生じ、例えば、当該撮像装置が採用されている縦ピロー型製袋包装機３００等の母体装置の単位時間当たりの処理能力が低下するという不都合がある。
【０００５】
本発明の目的は、撮像タイミングがばらつくことを防止することができる撮像装置および撮像方法を提供することにある。
【課題を解決するための手段】
【０００６】
本発明は、請求項に記載した構成を採用した。
【発明の効果】
【０００７】
本発明によれば、印付与領域における撮像手段の死角領域を凹型鏡面で撮像領域内に映し出すので、当該撮像手段と穴とを相対回転させる動作が不要となり、撮像タイミングがばらつくことを防止することができる。
変位手段を備えれば、撮像領域内に映し出す撮像手段の死角領域を変更することができる。
曲率変更手段を備えれば、撮像領域内に映し出す撮像手段の死角領域を変更することができる。
【図面の簡単な説明】
【０００８】
【図１】（Ａ）〜（Ｄ）は、本発明の撮像装置の説明図。
【発明を実施するための形態】
【０００９】
以下、本発明の一実施形態を図面に基づいて説明する。
なお、本実施形態におけるＸ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、本実施形態では、Ｙ軸と平行な図１の手前方向から観た場合を基準とし、図を指定することなく方向を示した場合、「上」がＺ軸の矢印方向で「下」がその逆方向、「左」がＸ軸の矢印方向で「右」がその逆方向、「前」がＹ軸と平行な図１中手前方向で「後」がその逆方向とする。
【００１０】
図１において、本発明の撮像装置ＥＡは、被着体ＷＫに接着シートＡＳを貼付するシート貼付装置ＥＡ１に採用されている。
シート貼付装置ＥＡ１は、被着体ＷＫに接着シートＡＳを貼付する貼付手段１０と、被着体ＷＫを支持して搬送する被着体搬送手段２０と、当該シート貼付装置ＥＡ１の全体的または部分的な動作を制御するパーソナルコンピュータやシーケンサ等の制御手段３０と、制御手段３０の判定結果を出力する発音器、モニタ、パネル、表示灯等の報知手段４０とで構成されている。
撮像装置ＥＡは、所定の間隔ＤＳで穴ＨＬの内周面ＨＬ３を１周する領域が印付与領域ＭＡとされ、当該印付与領域ＭＡに設けられた所定の印ＭＫを撮像する装置であって、所定の撮像領域ＰＡを撮像する撮像手段５０と、対象とするものを映し出す鏡面反射手段６０とを備えている。
【００１１】
貼付手段１０は、複数の接着シートＡＳが帯状の剥離シートＲＬに仮着された原反ＲＳを支持する支持ローラ１１と、原反ＲＳを案内するガイドローラ１２と、剥離縁１３Ａで剥離シートＲＬを折り返し、当該剥離シートＲＬから接着シートＡＳを剥離する剥離手段としての剥離板１３と、被着体ＷＫに接着シートＡＳを押圧して貼付する押圧手段としての押圧ローラ１４と、駆動機器としての回動モータ１５Ａの図示しない出力軸に支持され、ピンチローラ１５Ｂとで剥離シートＲＬを挟み込む駆動ローラ１５と、図示しない駆動機器の出力軸に支持され、シート貼付装置ＥＡ１の自動運転が行われている間、ピンチローラ１５Ｂとの間に存在する剥離シートＲＬに常に所定の張力を付与し、当該剥離シートＲＬを回収する回収手段としての回収ローラ１６と、当該貼付手段１０を構成する前述の各部材を直接的または間接的に支持するフレーム１７と、蝶番１８Ａを介してフレーム１７に対して開閉可能に支持されるとともに、ブラケット１８Ｂを介して鏡面反射手段６０を支持するカバー部材１８とを備えている。
なお、原反ＲＳは、第１開口部ＨＬ１と第２開口部ＨＬ２と内周面ＨＬ３とを有する穴ＨＬが形成された中空管ＨＰに巻回されて原反巻回物ＲＲとされている。また、原反ＲＳは、中空管ＨＰの穴ＨＬを支持ローラ１１に通し、当該支持ローラ１１に設けられたストッパ１１Ａに第２開口部ＨＬ２が突き当たると、シート貼付装置ＥＡ１に対して所定の位置にセットされるようになっている。この際、支持ローラ１１は印ＭＫに覆い被さることはない。
なお、本実施形態の場合、図１（Ｄ）にも示すように、中空管ＨＰにおける第１開口部ＨＬ１と、当該第１開口部ＨＬ１から離れた内周面ＨＬ３上の第１内周点ＰＴ１との間隔を所定の間隔ＤＳ（本実施形態の場合、３０ｍｍ）とし、当該所定の間隔ＤＳで内周面ＨＬ３を１周する領域が印付与領域ＭＡとされ、当該印付与領域ＭＡ内のどこかの位置に印ＭＫとして二次元コードが設けられている。
【００１２】
被着体搬送手段２０は、駆動機器としてのリニアモータ２１と、そのスライダ２１Ａに支持され、減圧ポンプや真空エジェクタ等の図示しない減圧手段（保持手段）によって保持面２２Ａで吸着保持が可能な支持テーブル２２とを備えている。
【００１３】
撮像手段５０は、ブラケット５１を介してフレーム１７に支持されたカメラ５２を備え、斜め手前上方から内周面ＨＬ３を撮像する位置に配置されている。なお、カメラ５２は、鏡面反射手段６０によって鏡映しとなって映し出された撮像画像からでも、印ＭＫを鏡映し前の状態として読み込むことができる。また、印ＭＫの位置によっては、カメラ５２に直接撮像される位置と、鏡面反射手段６０によって映し出される位置との両方に、当該印ＭＫが映り込む場合があるが、カメラ５２は、それらを１つの印として読み込むことができる。
【００１４】
鏡面反射手段６０は、印付与領域ＭＡにおけるカメラ５２の死角領域ＢＡを撮像領域ＰＡ内に映し出す凹型鏡面６１Ａを備えたステンレス板６１と、撮像領域ＰＡ内に映し出すカメラ５２の死角領域ＢＡの位置を変更可能な変位手段６２と、凹型鏡面６１Ａの曲率を変更する曲率変更手段６３とを備えている。
ステンレス板６１は、カメラ５２側の面が鏡面磨きされることで凹型鏡面６１Ａを構成している。
変位手段６２は、ブラケット１８Ｂに支持された駆動機器としてのＸＹテーブル６２Ａと、ＸＹテーブル６２Ａの出力部６２Ｂに支持された駆動機器としての直動モータ６２Ｃと、直動モータ６２Ｃの出力軸６２Ｄに支持された駆動機器としての回動モータ６２Ｅと、回動モータ６２Ｅの出力軸６２Ｆに支持され、曲率変更手段６３を介してステンレス板６１を支持する支持フレーム６２Ｇとを備え、前後、左右、上下方向およびＸ軸を中心とする円周方向にステンレス板６１を移動可能となっている。
曲率変更手段６３は、支持フレーム６２Ｇに支持され、それぞれの出力軸６３Ｂでステンレス板６１の両端部を支持する駆動機器としての２体の直動モータ６３Ａを備えている。
【００１５】
以上のシート貼付装置ＥＡ１の動作を説明する。
先ず、図１（Ａ）中実線で示す初期位置に各部材が配置されたシート貼付装置ＥＡ１に対し、当該シート貼付装置ＥＡ１の使用者（以下、単に「使用者」という）が、操作パネルやパーソナルコンピュータ等の図示しない操作手段を介して自動運転開始の信号を入力する。この際、使用者は、変位手段６２および曲率変更手段６３を駆動し、カメラ５２が撮像しきれない印付与領域ＭＡにおける死角領域ＢＡを、当該カメラ５２が撮像できるように、変位手段６２や曲率変更手段６３を駆動し、ステンレス板６１の位置、角度および凹型鏡面６１Ａの曲率等を調整する。また、使用者は、当該シート貼付装置ＥＡ１で使用する原反ＲＳの品名や型式等を表す数値、文字、記号等の原反情報を図示しない操作手段を介して制御手段３０に入力しておく。
【００１６】
次いで、使用者がカバー部材１８を開き、図１（Ｂ）に示すように、ストッパ１１Ａに穴ＨＬの第２開口部ＨＬ２を突き当て、原反巻回物ＲＲを支持ローラ１１にセットした後、原反ＲＳを図１（Ａ）に示すように掛け回してカバー部材１８を閉じる。すると、カメラや投影機等の撮像機器や、光学センサや超音波センサ等の各種センサ等の図示しない検知手段が、カバー部材１８が閉じられたことを検知し、このタイミングで撮像手段５０がカメラ５２を駆動し、撮像領域ＰＡの撮像を行って撮像画像を制御手段３０に出力する。この際、カメラ５２は、図１（Ｃ）に示すように、直接見える穴ＨＬの内周面ＨＬ３と、凹型鏡面６１Ａによって鏡映しとなって映し出されて見える穴ＨＬの内周面ＨＬ３とで、印付与領域ＭＡ全域を撮像画像中に収めることができるので、印ＭＫを撮像できないことはない。具体的には、図１（Ｃ）に示すように、付番ＭＰを付した矢印の先（カメラ５２の死角領域ＢＡ）に印ＭＫがあった場合、カメラ５２では直接見ることはできないが、ステンレス板６１の凹型曲面６１Ａに当該印ＭＫが鏡写しとなって映し出されるので、当該カメラ５２は、印ＭＫを間接的に撮像することができ、常に所定のタイミングで撮像を行うことができる。なお、言うまでもないが、死角領域ＢＡにない印ＭＫはカメラ５２で直接撮像することができる。
【００１７】
カメラ５２から出力された印ＭＫが制御手段３０に入力されると、当該制御手段３０は、当該印ＭＫを一定の規則に従って数字、文字、記号等の入力情報に変換し、先に入力されている原反情報に対して適合しているか、適合していないかの判定を行う。ここで、入力情報が原反情報に対して適合していないと制御手段３０が判定すると、当該制御手段３０が報知手段４０に対して駆動指令を出力するとともに、当該シート貼付装置ＥＡ１が作動しないようにインターロックを掛ける。すると、報知手段４０が発音器等を駆動し、入力情報が原反情報に対して適合していないことを使用者に知らせる。その後、使用者が報知手段４０による報知を認識すると、セットした原反巻回物ＲＲをシート貼付装置ＥＡ１から取外した後、上記と同様にして、他の原反巻回物ＲＲを当該シート貼付装置ＥＡ１にセットする。
【００１８】
次に、上記と同様にして入力情報が原反情報に対して適合していると制御手段３０が判定すると、当該制御手段３０が報知手段４０に対して駆動停止指令を出力するとともに、当該シート貼付装置ＥＡ１のインターロックを解除する。すると、報知手段４０が発音器等の駆動を停止し、入力情報が原反情報に対して適合していることを使用者に知らせた後、貼付手段１０が回動モータ１５Ａを駆動し、原反ＲＳを繰り出し、先頭の接着シートＡＳの繰出方向先端部が剥離板１３の剥離縁１３Ａで所定長さ剥離されると、回動モータ１５Ａの駆動を停止する。そして、使用者または多関節ロボットやベルトコンベア等の図示しない搬送手段が、支持テーブル２２上に被着体ＷＫを載置すると、被着体搬送手段２０が図示しない減圧手段を駆動し、保持面２２Ａで被着体ＷＫの吸着保持を開始する。
【００１９】
次いで、被着体搬送手段２０がリニアモータ２１を駆動し、支持テーブル２２を左方に移動させ、被着体ＷＫが所定の位置に到達すると、貼付手段１０が回動モータ１５Ａを駆動し、被着体ＷＫの移動速度に合わせて原反ＲＳを繰り出す。これにより、接着シートＡＳが剥離シートＲＬから剥離され、当該剥離シートＲＬから剥離された接着シートＡＳは、図１（Ａ）中二点鎖線で示すように、押圧ローラ１４によって被着体ＷＫに押圧されて貼付される。次に、先頭の接着シートＡＳに次ぐ次の接着シートＡＳの繰出方向先端部が、剥離板１３の剥離縁１３Ａで所定長さ剥離されると、貼付手段１０が回動モータ１５Ａの駆動を停止する。そして、被着体ＷＫに接着シートＡＳ全体が貼付され、支持テーブル２２が押圧ローラ１４の左方所定位置に到達すると、被着体搬送手段２０がリニアモータ２１の駆動を停止した後、図示しない減圧手段の駆動を停止し、保持面２２Ａでの被着体ＷＫの吸着保持を解除する。次いで、使用者または図示しない搬送手段が、接着シートＡＳが貼付された被着体ＷＫを次工程に搬送すると、被着体搬送手段２０がリニアモータ２１を駆動し、支持テーブル２２を初期位置に復帰させ、以降上記同様の動作が繰り返される。
【００２０】
以上のような実施形態によれば、印付与領域ＭＡにおけるカメラ５２の死角領域ＢＡを凹型鏡面６１Ａで撮像領域ＰＡ内に映し出すので、当該撮像手段５０と穴ＨＬとを相対回転させる動作が不要となり、撮像タイミングがばらつくことを防止することができる。
【００２１】
本発明における手段及び工程は、それら手段及び工程について説明した動作、機能または工程を果たすことができる限りなんら限定されることはなく、まして、前記実施形態で示した単なる１実施形態の構成物や工程に全く限定されることはない。例えば、撮像手段は、所定の撮像領域を撮像可能なものであれば、出願当初の技術常識に照らし合わせ、その技術範囲内のものであればなんら限定されることはない（その他の手段および工程も同じ）。
【００２２】
貼付手段１０は、支持ローラ１１に代えてまたは併用して、中空管ＨＰに巻回された原反ＲＳを下方から支えて支持するローラやベルト等を採用してもよいし、支持ローラ１１として、円柱形状、円筒形状、楕円あるいは多角の筒形状や柱形状のものが採用されてもよいし、ストッパ１１Ａを備えていない支持ローラ１１が採用されてもよいし、フレーム１７に対して回転または回転不能な支持ローラ１１が採用されてもよいし、撮像手段５０が印ＭＫを撮像できる透明な部材で支持ローラ１１が構成されていれば、ストッパ１１Ａに第２開口部ＨＬ２が突き当たった際、当該支持ローラ１１が印ＭＫに覆い被さっていてもよい。
貼付手段１０は、剥離シートＲＬに仮着された帯状の接着シート基材に閉ループ状または短寸幅方向全体の切込が形成されることで、その切込で仕切られた所定の領域が接着シートＡＳとされた原反を繰り出してもよいし、帯状の接着シート基材が剥離シートＲＬに仮着された原反を採用し、接着シート基材に閉ループ状または短寸幅方向全体の切込を切断手段で形成し、その切込で仕切られた所定の領域を接着シートＡＳとしてもよいし、接着シートＡＳを剥離シートＲＬから剥離する際、原反ＲＳに所定の張力が付与されるように回動モータ１５Ａのトルク制御を行ってもよいし、支持ローラ１１やガイドローラ１２等の各ローラの代わりに板状部材やシャフト部材等で原反ＲＳや剥離シートＲＬを支持したり案内したりしてもよいし、剥離シートＲＬを巻回することなく例えばファンフォールド折りにしたり、シュレッダ等で切り刻んだりして回収してもよいし、巻回したりファンフォールド折りにしたりすることなく単に集積して剥離シートＲＬを回収してもよいし、剥離シートＲＬを回収しなくてもよい。
貼付手段１０は、天地反転して配置したり横置きに配置したりして、被着体ＷＫの下面や側面等に接着シートＡＳを貼付するように構成してもよいし、押圧ローラ１４の代わりに、駆動機器であって押圧手段としての直動モータの出力軸に支持され、減圧ポンプや真空エジェクタ等の図示しない減圧手段によって吸着保持が可能な保持部材で接着シートＡＳを保持し、当該保持部材で保持した接着シートＡＳを被着体ＷＫに押圧して貼付する構成でもよいし、押圧ローラ１４を被着体ＷＫに離間接近させる押圧部材接離手段としての駆動機器を採用し、被着体ＷＫにストレスがかかったり損傷したりすることを防止するようにしてもよい。
【００２３】
被着体搬送手段２０は、支持テーブル２２を移動させることなくまたは移動させつつ、貼付手段１０を移動させて被着体ＷＫに接着シートＡＳを貼付してもよいし、保持手段が備わっていなくてもよいし、他の装置で被着体ＷＫを支持して搬送する場合、シート貼付装置ＥＡ１に備わっていなくてもよい。
【００２４】
撮像手段５０は、一次元コードリーダ、二次元コードリーダ、投影機、光学センサや超音波センサ等の各種センサ等を採用してもよいし、撮像画像を制御手段３０に出力しなくてもよいし、撮像画像を記憶したり、他の装置に出力したりする構成でもよいし、例えば、レンズやプリズム等の画像補正部材や、コンピュータやプログラム等によって撮像画像を当該撮像手段や制御手段３０が印ＭＫを読み取れるようにまたは、読み取り易くするようにしてもよい。
【００２５】
鏡面反射手段６０は、ステンレス板６１以外に、例えば、鏡や樹脂板等を採用してもよく、死角領域ＢＡを撮像手段５０の撮像領域ＰＡ内に映し出すことができればどのようなものでもよい。
凹型鏡面６１Ａは、半円弧や１／４円弧等の円弧状の凹型鏡面でもよいし、放物線状の凹型鏡面でもよいし、多角形型の凹型鏡面でもよいし、二次曲面からなる凹型鏡面でもよいし、三次曲面からなる凹型鏡面でもよく、死角領域ＢＡを撮像手段５０の撮像領域ＰＡ内に映し出すことができればどのような凹型鏡面でもよい。
変位手段６２は、Ｙ軸やＺ軸を中心とする円周方向にステンレス板６１を移動させる駆動機器を採用してもよいし、Ｘ軸方向に移動する出力軸を備えた駆動機器と、Ｙ軸方向に移動する出力軸を備えた駆動機器とを適宜に組み合わせてＸＹテーブル６２Ａの代替としてもよいし、当該変位手段６２を構成する駆動機器のうち少なくとも１つが備わっていなくてもよいし、人手でステンレス板６１の位置や角度を調整してもよいし、本発明の撮像装置ＥＡに備わっていなくてもよい。
曲率変更手段６３は、１体または３体以上の駆動機器で凹型鏡面６１Ａの曲率を変更してもよいし、人手で凹型鏡面６１Ａの曲率を変更してもよいし、本発明の撮像装置ＥＡに備わっていなくてもよい。
【００２６】
中空管ＨＰは、円筒形状に限らず、楕円筒形状や多角筒形状であってもよいし、紙製、樹脂製、金属製等であってもよいし、原反ＲＳ以外に、例えば、帯状の剥離シートＲＬに帯状の接着シート基材が仮着された接着シート原反、剥離シートＲＬに仮着されていない基材と接着剤層とからなる帯状の接着シート基材、単層または複層の紙の他、電線、針金、糸、布、ロープ、ホース、鋼板、樹脂板等の長尺体等が巻回されるものであってもよいし、原反ＲＳや長尺体等が巻回されることのないパイプやホース等の単なる筒状体や、缶やコップ等の容器状のもの等、何ら限定されるものではない。
穴ＨＬは、第２開口部ＨＬ２がない（底のある）「穴」でもよいし、第２開口部ＨＬ２がある（底のない）「孔」でもよいし、円形状、楕円形状、多角形状等の穴でもよいし、中空管ＨＰに形成された穴ＨＬの他、例えば、筒状体や環状体を構成する穴、地面や壁に掘られた穴や空洞等、何ら限定されるものではない。
印付与領域ＭＡは、所定の間隔ＤＳが３０ｍｍでなくてもよく、例えば１ｍｍや１０ｍｍ等、３０ｍｍ以下でもよいし、５０ｍｍや１ｍ等、３０ｍｍ以上でもよい。また印付与領域ＭＡは、例えば、図１（Ｄ）に示すように、穴ＨＬの第１開口部ＨＬ１から離れた内周面ＨＬ３上の第２内周点ＰＴ２と、当該第２内周点ＰＴ２から離れた内周面ＨＬ３上の第３内周点ＰＴ３との間隔を所定の間隔ＤＳとし、当該所定の間隔ＤＳで内周面ＨＬ３を１周する領域でもよいし、同図１（Ｄ）に示すように、穴ＨＬの第１開口部ＨＬ１から離れた内周面ＨＬ３上の第４内周点ＰＴ４と、穴ＨＬの第２開口部ＨＬ２との間隔を所定の間隔ＤＳとし、当該所定の間隔ＤＳで内周面ＨＬ３を１周する領域でもよいし、同図１（Ｄ）に示すように、中空管ＨＰにおける穴ＨＬの第１開口部ＨＬ１と、当該穴ＨＬの第２開口部ＨＬ２との間隔を所定の間隔ＤＳとし、当該所定の間隔ＤＳで内周面ＨＬ３を１周する領域でもよい。なお、内周点ＰＴ２の位置は内周点ＰＴ１と同じでもよいし、内周点ＰＴ３の位置は内周点ＰＴ４と同じでもよい。
印ＭＫは、一次元コード、二次元コード、文字、図形、模様、刻印、傷、割れ、シミ、突起物、凹凸物またはそれらが組み合わさったもの等、何ら限定されるものではないし、印付与領域ＭＡに直接印刷されたり記載されたり刻印されたりしたものであってもよいし、ラベルや粘着テープ等の接着シートに印刷されたものでもよいし、印付与領域ＭＡの１箇所または複数箇所に設けられていてもよいし、例えば、原反ＲＳのロットナンバー、使用した原反ＲＳの長さ、原反ＲＳの残りの長さ、接着シートＡＳの品質保証期限、原反ＲＳや接着シートＡＳの使用期限や消費期限、繰出開始前後の接着シートＡＳの残数、繰り出された接着シートＡＳの枚数、接着シートＡＳを最適に繰り出すことのできる推奨繰出速度、接着シートＡＳを最適に貼付することができる推奨貼付張力や推奨押圧力や貼付温度等の接着シートＡＳの貼付条件、接着シートＡＳや原反ＲＳについての相談窓口の連絡先等をであってもよく、シート貼付装置ＥＡ１は、当該印をモニタやパネル等の表示手段（報知手段４０）に表示させてもよいし、撮像手段５０が撮像した撮像画像中の印ＭＫの内容に基づいて、制御手段３０で各駆動機器を制御してもよく、例えば、接着シートＡＳの推奨繰出速度を基にして、回動モータ１５Ａの回転速度や、リニアモータ２１で支持テーブル２２を移動させる移動速度を制御したり、推奨押圧力を基にして、押圧ローラ１４を昇降させる図示しない直動モータの昇降量やその出力軸に加えるトルクなどを制御したり、押圧力を制御したり、加熱手段の温度を制御してもよい。
【００２７】
撮像装置ＥＡは、穴ＨＬの内側に鏡面反射手段６０が配置されていてもよいし、穴ＨＬの内側に撮像手段５０と鏡面反射手段６０との両方が配置されていてもよいし、シート貼付装置ＥＡ１以外に、例えば、印ＭＫの有り無しを判定するものや、印ＭＫの色や形状を判定する判定装置、中空管ＨＰに巻回された原反ＲＳや長尺体等を繰り出して所定長さに切断する切断装置、原反ＲＳや長尺体に所定の印刷や印字を行う印刷機械、穴ＨＬの内周面ＨＬ３に形成された傷、割れ、シミ等を検知する検知装置、地面や壁に掘られた穴や空洞等の内周面に設けられた印ＭＫや傷等を撮像する検査装置等、どんなものに採用されてもよいし、他の装置や他の機構等に採用されることなく、単体で使用されてもよく、印付与領域ＭＡに設けられた所定の印ＭＫを撮像する必要のあるものであればどのようなものに採用されてもよい。
シート貼付装置ＥＡ１は、被着体搬送手段２０、制御手段３０および報知手段４０のうち少なくとも１つが備わっていなくてもよいし、例えば、入力情報が原反情報に対して適合していないと制御手段３０が判定した際、当該制御手段３０は、報知手段４０に対して駆動指令を出力しなくてもよいし、シート貼付装置ＥＡ１にインターロックを掛けなくてもよいし、入力情報が原反情報に対して適合していると制御手段３０が判定した際、当該制御手段３０は、報知手段４０に対して駆動指令を出力し、その旨を使用者に知らせてもよい。
【００２８】
本発明における接着シートＡＳおよび被着体ＷＫの材質、種別、形状等は、特に限定されることはない。例えば、接着シートＡＳは、円形、楕円形、三角形や四角形等の多角形、その他の形状であってもよいし、感圧接着性、感熱接着性等の接着形態のものであってもよく、感熱接着性の接着シートＡＳが採用された場合は、当該接着シートＡＳを加熱する適宜なコイルヒータやヒートパイプの加熱側等の加熱手段を設けるといった適宜な方法で接着されればよい。また、このような接着シートＡＳは、例えば、接着剤層だけの単層のもの、基材と接着剤層との間に中間層を有するもの、基材の上面にカバー層を有する等３層以上のもの、更には、基材を接着剤層から剥離することのできる所謂両面接着シートのようなものであってもよく、両面接着シートは、単層又は複層の中間層を有するものや、中間層のない単層又は複層のものであってよい。また、被着体ＷＫとしては、例えば、食品、樹脂容器、シリコン半導体ウエハや化合物半導体ウエハ等の半導体ウエハ、回路基板、光ディスク等の印記録基板、ガラス板、鋼板、陶器、木板または樹脂等の単体物であってもよいし、それら２つ以上で形成された複合物であってもよく、任意の形態の部材や物品なども対象とすることができる。なお、接着シートＡＳは、機能的、用途的な読み方に換え、例えば、印記載用ラベル、装飾用ラベル、保護シート、ダイシングテープ、ダイアタッチフィルム、ダイボンディングテープ、記録層形成樹脂シート等の任意のシート、フィルム、テープ等でもよい。
【００２９】
前記実施形態における駆動機器は、回動モータ、直動モータ、リニアモータ、単軸ロボット、２軸または３軸以上の関節を備えた多関節ロボット等の電動機器、エアシリンダ、油圧シリンダ、ロッドレスシリンダ及びロータリシリンダ等のアクチュエータ等を採用することができる上、それらを直接的又は間接的に組み合せたものを採用することもできる。
前記実施形態において、ローラ等の回転部材が採用されている場合、当該回転部材を回転駆動させる駆動機器を備えてもよいし、回転部材の表面や回転部材自体をゴムや樹脂等の変形可能な部材で構成してもよいし、回転部材の表面や回転部材自体を変形しない部材で構成してもよいし、ローラの代わりに回転するまたは回転しないシャフトやブレード等の他の部材を採用してもよいし、押圧ローラや押圧ヘッド等の押圧手段や押圧部材といった被押圧物を押圧するものが採用されている場合、上記で例示したものに代えてまたは併用して、ローラ、丸棒、ブレード材、ゴム、樹脂、スポンジ等の部材を採用したり、大気やガス等の気体の吹き付けにより押圧する構成を採用したりしてもよいし、押圧するものをゴムや樹脂等の変形可能な部材で構成してもよいし、変形しない部材で構成してもよいし、剥離板や剥離ローラ等の剥離手段や剥離部材といった被剥離物を剥離するものが採用されている場合、上記で例示したものに代えてまたは併用して、板状部材、丸棒、ローラ等の部材を採用してもよいし、剥離するものをゴムや樹脂等の変形可能な部材で構成してもよいし、変形しない部材で構成してもよいし、支持（保持）手段や支持（保持）部材等の被支持部材（被保持部材）を支持（保持）するものが採用されている場合、メカチャックやチャックシリンダ等の把持手段、クーロン力、接着剤（接着シート、接着テープ）、粘着剤（粘着シート、粘着テープ）、磁力、ベルヌーイ吸着、吸引吸着、駆動機器等で被支持部材を支持（保持）する構成を採用してもよいし、切断手段や切断部材等の被切断部材を切断または、被切断部材に切込や切断線を形成するものが採用されている場合、上記で例示したものに代えてまたは併用して、カッター刃、レーザカッタ、イオンビーム、火力、熱、水圧、電熱線、気体や液体等の吹付け等で切断するものを採用したり、適宜な駆動機器を組み合わせたもので切断するものを移動させて切断するようにしたりしてもよい。
【符号の説明】
【００３０】
ＥＡ    撮像装置
５０    撮像手段
６０    鏡面反射手段
６１Ａ  凹型鏡面
ＢＡ    死角領域
ＤＳ    所定の間隔
ＨＬ    穴
ＨＬ３  内周面
ＭＡ    印付与領域
ＭＫ    印
ＰＡ    撮像領域
【図１】
2020102019.tif 000003